(57)【要約】個人別に割り当てられて個人専用のインターネットポータルサイトに接続することができ、認証情報が設定されたＵＲＬを保存したＵＲＬ媒体と個人専用のインターネットポータルサイトを管理するサーバーを核心要素として使用することによって、個人に安全かつ便利な個人専用のインターネットポータルシステムを提供する。個人専用のインターネットポータルサーバーに接続する時にＵＲＬ媒体を使用しなければならないため、誰でも接続できないため安全であり、ＵＲＬ媒体を使用して一気に接続するため便利であり、そして接続後にＵＲＬ媒体に設定されたＵＲＬ媒体−認証情報を確認してＵＲＬ媒体単位でログインをするため安全であり、また個人の身分が確認されたポータルを通じて２次サイトに接続するため構造的な安全を提供する。また、個人専用のインターネットポータルサイトは個人に代わってインターネット上に存在する代理人であって、他のサイト（＝２次サイト）と特別な関係を結ぶことができるが、これを利用して不正な決済を効率的に防止する決済サービスを支援することができる。  【選択図】図１
2019510326.tif 000002
【特許請求の範囲】
【請求項１】
個人区別情報を含みつつ個人ポータルサイトに接続できるＵＲＬを保存および提供し、前記ＵＲＬが割り当てられたユーザーが記憶して使用する前記ＵＲＬに設定されたＵＲＬ媒体−認証情報を保有したＵＲＬ媒体（１００、１００ａ、１００ｂ）と；
前記ＵＲＬを受信して前記ＵＲＬに対応する前記個人ポータルサイトに接続して個人ポータルサイト−接続ページを通信し、前記個人ポータルサイト−接続ページを通じて前記ユーザーが入力した前記ＵＲＬ媒体−認証情報を伝達して前記ＵＲＬ媒体のログインが受諾された後に個人ポータルサイト−ログインページを通信するスマート機器と；
前記個人ポータルサイトを管理し、前記スマート機器と前記個人ポータルサイト−接続ページを通じて受信した前記ＵＲＬ媒体−認証情報を確認して前記ＵＲＬ媒体のログインを受諾した後に前記個人ポータルサイト−ログインページを前記スマート機器と通信する個人ポータルサーバーと；を含む
ことを特徴とするインターネットポータルシステム。
【請求項２】
ａ）ＵＲＬ媒体（１００、１００ａ、１００ｂ）がスマート機器にＵＲＬを提供する段階；
ｂ）前記スマート機器が前記ＵＲＬに対応する個人ポータルサイトに接続して個人ポータルサイト−接続ページを通じて前記ＵＲＬ媒体のユーザーが入力したＵＲＬ媒体−認証情報を個人ポータルサーバーに伝達する段階；
ｃ）前記個人ポータルサーバーが前記ＵＲＬ媒体−認証情報を確認して前記ＵＲＬ媒体のログインを受諾した後に個人ポータルサイト−ログインページを前記スマート機器と通信する段階；を含む
ことを特徴とするインターネットポータル使用方法。
【請求項３】
前記スマート機器は、前記個人ポータルサイト−ログインページで選択された２次サイトに接続して２次サイト−接続ページを通信し、前記２次サイト−接続ページを通じて前記ユーザーが入力したユーザー−認証情報を伝達して前記ユーザーが前記２次サイトにログインされた後に２次サイト−ログインページをさらに通信し、
前記２次サイトを管理し、前記２次サイト−接続ページを通じて受信した前記ユーザー−認証情報を確認して前記ユーザーのログインを受諾した後に前記２次サイト−ログインページを前記スマート機器と通信する２次サイトサーバー；をさらに含む
請求項１に記載のインターネットポータルシステム。
【請求項４】
ｄ）前記スマート機器が前記個人ポータルサイト−ログインページで選択された２次サイトに接続して２次サイト−接続ページを通じて前記ユーザーが入力したユーザー−認証情報を２次サイトサーバーに伝達する段階；
ｅ）前記２次サイトサーバーが前記ユーザー−認証情報を確認して前記ユーザーのログインを受諾した後に２次サイト−ログインページを前記スマート機器と通信する段階；をさらに含む
請求項２に記載のインターネットポータル使用方法。
【請求項５】
個人区別情報と２次サイト別途情報を含みつつ個人ポータルサイトに接続できるＵＲＬを保存および提供し、前記ＵＲＬが割り当てられたユーザーが記憶して使用する前記ＵＲＬに設定されたＵＲＬ媒体−認証情報を保有したＵＲＬ媒体（１００ａ、１００ｂ）と；
前記ＵＲＬを受信して前記ＵＲＬに対応する前記個人ポータルサイトに接続して個人ポータルサイト−接続ページを通信し、前記個人ポータルサイト−接続ページを通じて前記ユーザーが入力した前記ＵＲＬ媒体−認証情報および前記２次サイト別途情報を伝達し、前記２次サイト別途情報に対応する２次サイトサーバーに接続されて２次サイト−接続ページを通じて前記ユーザーが入力したユーザー−認証情報を伝達して前記ユーザーのログインが受諾された後に２次サイト−ログインページを通信するスマート機器と；
前記個人ポータルサイトを管理し、前記スマート機器と前記個人ポータルサイト−接続ページを通信して受信した前記ＵＲＬ媒体−認証情報を確認して前記ＵＲＬ媒体のログインを受諾した後に前記２次サイト別途情報に対応して生成された伝達−２次サイト別途情報と前記スマート機器に対応して生成されたスマート機器情報を前記２次サイトサーバーに提供する個人ポータルサーバーと；
前記２次サイトを管理し、前記伝達−２次サイト別途情報を受信して対応し、前記スマート機器情報に対応する前記スマート機器に接続して前記２次サイト−接続ページを通じて受信した前記ユーザー−認証情報を確認して前記ユーザーのログインを受諾した後に前記２次サイト−ログインページを前記スマート機器と通信する２次サイトサーバーと；を含む
ことを特徴とするインターネットポータルシステム。
【請求項６】
ａ）ＵＲＬ媒体（１００ａ、１００ｂ）がスマート機器にＵＲＬを提供する段階；
ｂ）前記スマート機器が前記ＵＲＬに対応する個人ポータルサイトに接続して個人ポータルサイト−接続ページを通じて前記ＵＲＬ媒体のユーザーが入力したＵＲＬ媒体−認証情報および前記２次サイト別途情報を個人ポータルサーバーに伝達する段階；
ｃ）前記個人ポータルサーバーが前記ＵＲＬ媒体−認証情報を確認して前記ＵＲＬ媒体のログインを受諾した後に前記２次サイト別途情報に対応して生成した伝達−２次サイト別途情報と前記スマート機器に対応して生成したスマート機器情報を前記２次サイト別途情報に対応する２次サイトサーバーに提供する段階；
ｄ）前記２次サイトサーバーが前記伝達−２次サイト別途情報に対応し、前記スマート機器情報に対応する前記スマート機器に接続して２次サイト−接続ページを通信する段階；
ｅ）前記スマート機器が前記２次サイト−接続ページを通じて前記ユーザーが入力したユーザー−認証情報を前記２次サイトサーバーに伝達する段階；
ｆ）前記２次サイトサーバーが前記ユーザー−認証情報を確認して前記ユーザーのログインを受諾した後に２次サイト−ログインページを前記スマート機器と通信する段階；を含む
ことを特徴とするインターネットポータル使用方法。
【請求項７】
個人区別情報と決済機能に対応する２次サイト別途情報を含みつつ個人ポータルサイトに接続できるＵＲＬを保存および提供し、前記ＵＲＬが割り当てられたユーザーが記憶して使用する前記ＵＲＬに設定されたＵＲＬ媒体−認証情報と決済機能を保有したＵＲＬ媒体（１００ａ）と；
前記ＵＲＬを受信して前記ＵＲＬに対応する前記個人ポータルサイトに接続して個人ポータルサイト−接続ページを通信し、前記個人ポータルサイト−接続ページを通じて前記ユーザーが入力した前記ＵＲＬ媒体−認証情報を伝達して前記ＵＲＬ媒体がログインされた後に個人ポータルサイト−ログインページを通信し、前記個人ポータルサイト−ログインページを通じて前記２次サイト別途情報に対応する２次サイトサーバーに連結して２次サイト−接続ページを通信し、前記２次サイト−接続ページを通じて前記ユーザーが入力したユーザー−認証情報を伝達し、前記ユーザーがログインされた後に２次サイト−ログインページを通じて１段階−決済意思情報を伝達するスマート機器と；
前記個人ポータルサイトを管理し、前記スマート機器と前記個人ポータルサイト−接続ページを通じて受信した前記ＵＲＬ媒体−認証情報を確認して前記ＵＲＬ媒体のログインを受諾した後に前記個人ポータルサイト−ログインページを前記スマート機器と通信する個人ポータルサーバーと；
前記２次サイトを管理し、前記２次サイト−接続ページを前記スマート機器を通じて受信した前記ユーザー−認証情報を確認して前記ユーザーのログインを受諾した後に前記２次サイト−ログインページを通じて前記１段階−決済意思情報を受信し、前記１段階−決済意思情報に対応して生成した２段階−決済意思情報を２次サイト連動サーバーに提供する２次サイトサーバーと；
前記ＵＲＬ媒体（１００ａ）の決済要請で生成された決済要請情報を前記２次サイト連動サーバーに提供し、承認結果情報に対応して決済を遂行する決済端末機と；
前記ＵＲＬ媒体（１００ａ）の決済関連情報をあらかじめ保存しており、内部にあらかじめ保存されている前記決済関連情報と前記２段階−決済意思情報と前記決済要請情報に対応して生成された前記承認結果情報を前記決済端末機に提供する２次サイト連動サーバーと；を含む
ことを特徴とするインターネットポータルシステム。
【請求項８】
ａ）ＵＲＬ媒体（１００ａ）がスマート機器にＵＲＬを提供する段階；
ｂ）前記スマート機器が前記ＵＲＬに対応する個人ポータルサイトに接続して個人ポータルサイト−接続ページを通じて前記ＵＲＬ媒体のユーザーが入力したＵＲＬ媒体−認証情報を前記個人ポータルサーバーに伝達する段階；
ｃ）前記個人ポータルサーバーが前記ＵＲＬ媒体−認証情報を確認して前記ＵＲＬ媒体のログインを受諾した後に個人ポータルサイト−ログインページを前記スマート機器と通信する段階；
ｄ）前記スマート機器が前記個人ポータルサイト−ログインページで前記ユーザーが選択した２次サイトに接続して２次サイト−接続ページを通じて前記ユーザーが入力したユーザー−認証情報を２次サイトサーバーに伝達する段階；
ｅ）前記２次サイトサーバーが前記ユーザー−認証情報を確認して前記ユーザーのログインを受諾した後に２次サイト−ログインページを前記スマート機器と通信する段階；
ｆ）前記スマート機器が前記２次サイト−ログインページを通じて１段階−決済意思情報を前記２次サイトサーバーに伝達する段階；
ｇ）前記２次サイトサーバーが前記１段階−決済意思情報に対応して２段階−決済意思情報を生成して２次サイト連動サーバーに提供する段階；
ｈ）前記ＵＲＬ媒体（１００ａ）が決済端末機に決済要請を提供する段階
；ｉ）前記決済端末機が前記決済要請に対応して決済要請情報を生成して前記２次サイト連動サーバーに提供する段階；
ｊ）前記２次サイト連動サーバーが内部にあらかじめ保存している前記ＵＲＬ媒体（１００ａ）の決済関連情報と前記２段階−決済意思情報と前記決済要請情報に対応して承認結果情報を生成して前記決済端末機に提供する段階；
ｋ）前記決済端末機が前記承認結果情報に対応して決済を遂行する段階；を含む
ことを特徴とするインターネットポータル使用方法。
【請求項９】
前記ＵＲＬ媒体（１００ａ）は決済端末機に決済要請を提供する決済機能をさらに保有し、
前記２次サイトサーバーは前記伝達−２次サイト別途情報に対応して生成された２段階−２次サイト別途情報を２次サイト連動サーバーにさらに提供することを特徴とし、
前記ＵＲＬ媒体（１００ａ）の前記決済要請で生成された決済要請情報を前記２次サイト連動サーバーに提供し、前記２次サイト連動サーバーから受信した承認結果情報に対応して決済を遂行する決済端末機と；
前記ＵＲＬ媒体（１００ａ）の決済関連情報をあらかじめ保存しており、内部にあらかじめ保存されている前記決済関連情報と前記２段階−決済意思情報と前記決済要請情報に対応して前記承認結果情報を生成して前記決済端末機に提供する２次サイト連動サーバーと；をさらに含む
請求項５に記載のインターネットポータルシステム。
【請求項１０】
ｇ）前記２次サイトサーバーが前記伝達−２次サイト別途情報に対応して生成した２段階−２次サイト別途情報を２次サイト連動サーバーに提供する段階；
ｈ）前記２次サイト連動サーバーが前記２段階−２次サイト別途情報を受信して保存する段階；
ｉ）前記ＵＲＬ媒体（１００ａ）が決済端末機に決済要請を提供する段階；
ｊ）前記決済端末機が前記決済要請で生成された決済要請情報を前記２次サイト連動サーバーに提供する段階；
ｋ）前記２次サイト連動サーバーが内部にあらかじめ保存している前記ＵＲＬ媒体（１００ａ）の決済関連情報と前記２段階−決済意思情報と前記決済要請情報に対応して承認結果情報を生成して前記決済端末機に提供する段階；
ｌ）前記決済端末機が前記承認結果情報に対応して決済を遂行する段階；を含む
請求項６に記載のインターネットポータル使用方法。
【請求項１１】
前記２次サイトサーバーは前記伝達−２次サイト別途情報に対応して生成された２段階−２次サイト別途情報を２次サイト連動サーバーにさらに提供し、
前記２次サイト別途情報を通じて前記ＵＲＬ媒体（１００ｂ）と関連し、決済機能を保有して決済端末機に決済要請を提供する決済媒体と；
前記決済要請で生成された決済要請情報を前記２次サイト連動サーバーに提供し、前記２次サイト連動サーバーから受信した承認結果情報に対応して決済を遂行する決済端末機と；
前記決済媒体（９００）の決済関連情報をあらかじめ保存しており、内部にあらかじめ保存されている前記決済関連情報と前記２段階−決済意思情報と前記決済要請情報に対応して前記承認結果情報を生成して前記決済端末機に提供する２次サイト連動サーバーと；をさらに含む
請求項５に記載のインターネットポータルシステム。
【請求項１２】
ｇ）前記２次サイトサーバーが前記伝達−２次サイト別途情報に対応して生成した２段階−２次サイト別途情報を２次サイト連動サーバーに提供する段階；
ｈ）前記２次サイト連動サーバーが前記２段階−２次サイト別途情報を受信して保存する段階；
ｉ）決済媒体が決済端末機に決済要請を提供する段階；
ｊ）前記決済端末機が前記決済要請で生成された決済要請情報を前記２次サイト連動サーバーに提供する段階；
ｋ）前記２次サイト連動サーバーが内部にあらかじめ保存している前記決済媒体の決済関連情報と前記２段階−決済意思情報と前記決済要請情報に対応して承認結果情報を生成して前記決済端末機に提供する段階；
ｌ）前記決済端末機が前記承認結果情報に対応して決済を遂行する段階；を含む
請求項６に記載のインターネットポータル使用方法。
【発明の詳細な説明】
【技術分野】
【０００１】
本発明はインターネットポータルシステムとその使用方法に関するものであって、より具体的には、インターネットポータルを個人に合わせて提供し、セキュリティー性と便宜性が向上し、２次サイトとの連動性を付与して決済を支援するインターネットポータルシステムとその使用方法に関するものである。
【背景技術】
【０００２】
従来のインターネットポータルは誰でも接続できるため、接続段階から個人専用に使用するようにしたり個人に合わせて提供することができず、インターネットポータルに一気に接続することが難しく、インターネットポータルと２次サイトがユーザーを区別する方法はユーザーが記憶する認証情報を使用する方法であり、本発明のように、個人に割り当てられ、多様な情報を含むことができ、認証情報が設定されたＵＲＬが保存された媒体を使用し、２次サイトに接続したインターネットポータルの情報とユーザーが記憶する認証情報とを連係してユーザーを区別する属性の異なる認証情報と連動構造を適用することができない。
【０００３】
また、従来のインターネットポータルは２次サイトに連結する役割だけをするため、２次サイトと連動して決済を支援するサービスを提供することができない。
【発明の概要】
【発明が解決しようとする課題】
【０００４】
個人専用に個人に合わせられ、属性の異なる認証情報と多重ログイン構造で安全に利用し、簡単な動作で接続することができ、２次サイトと連動して多様なサービスを利用できる、インターネットポータルシステムと使用方法を提供する。
【０００５】
決済を支援するインターネットポータルシステムと使用方法を提供する。
【課題を解決するための手段】
【０００６】
前記の目的を達成するための技術的思想としての本発明は、個人専用の個人ポータルサイト３００ａに接続できると共に２次サイト４００ａと関連した情報を含むＵＲＬを保存および提供し、前記ＵＲＬに設定されたＵＲＬ媒体−認証情報を保有したＵＲＬ媒体１００、１００ａ、１００ｂと前記ＵＲＬを利用して個人ポータルサイトおよび２次サイトに接続するスマート機器２００と前記個人ポータルサイトを管理する個人ポータルサーバー３００と前記２次サイトを管理する２次サイトサーバー４００で構成されることを特徴とする、インターネットポータルシステムと使用方法で達成する。
【０００７】
また、個人専用の個人ポータルサイト３００ａに接続できると共に２次サイト（＝カード会社サイト、４００ａ）と関連した情報を含むＵＲＬを保存および提供し、前記ＵＲＬに設定されたＵＲＬ媒体−認証情報を保有したＵＲＬ媒体１００ａ、１００ｂと前記ＵＲＬを利用して個人ポータルサイト３００ａおよび２次サイトに接続するスマート機器２００と前記個人ポータルサイトを管理する個人ポータルサーバー３００と前記２次サイトを管理する２次サイトサーバー４００と前記ＵＲＬ媒体１００ａ乃至決済媒体９００の決済を管理する２次サイト連動サーバー（＝カード会社決済サーバー）６００と決済を遂行する端末機である決済端末機７００と前記決済端末機に決済を要請するＵＲＬ媒体１００ａ乃至決済媒体で構成されるのを特徴として決済を支援するインターネットポータルシステムと使用方法で達成する。
【発明の効果】
【０００８】
インターネットポータルを個人専用に個人に合わせて利用することができ、個人の実際の生活とインターネットの生活情報を連結させることができ、インターネット生活を体系的かつ効果的に管理し利用することができ、インターネット生活のための個人の記憶負担を減らすことができ、インターネットサーバーに連結されると個人の主要サイトや関心サイトを端末機の変動や場所に関わらず、常に利用することができる。
【０００９】
個人の実際の生活情報を提供するのではなく、個人の身分を多重に確認した後に個人の生活情報がある２次サイトを連結するため、商業的な価値は高くなり、ハッキング価値は低くなり、２次サイトに接近するセキュリティー性は高くなり、属性が多様な認証情報および使用方法とオンラインの便利さとオフラインの安全さが組み合わせられた身分確認構造と多重ログイン構造を適用することができるため、経済的にセキュリティーができ、認証情報の流出を認知しやすいため対応がはやく、個人のＩＤまで変更しやすい。
【００１０】
個人に合わせられたインターネットポータルと２次サイトが連係する機能を利用して決済を支援することができ、個人専用のサイトであるが共通したサービスを提供することができるため、多様な収益（利用料、広告料、物品の販売収益など）を創り出すことができる。
【図面の簡単な説明】
【００１１】
【図１】本発明に係るインターネットポータルシステムの実施例を示すブロック図
【図２】本発明に係るインターネットポータルシステムの他の実施例を示すブロック図
【図３】図１を利用して決済を支援するインターネットポータルシステムの実施例を示すブロック図
【図４】図２を利用して決済を支援するインターネットポータルシステムの実施例を示すブロック図
【図５】図３の他の実施例を示すブロック図
【図６】図４の他の実施例を示すブロック図
【図７】図１のスマート機器の動作フローチャート
【図８】図１の個人ポータルサーバーの動作フローチャート
【図９】図１の２次サイトサーバーの動作フローチャート
【図１０】図２、図４、図６のスマート機器の動作フローチャート
【図１１】図２、図４、図６の個人ポータルサーバーの動作フローチャート
【図１２】図２、図４、図６の２次サイトサーバーの動作フローチャート
【図１３】図３、図５のスマート機器の動作フローチャート
【図１４】図３、図５の個人ポータルサーバーの動作フローチャート
【図１５】図３、図５の２次サイトサーバーの動作フローチャート
【図１６】図３、図４、図５、図６の２次サイト連動サーバーの動作フローチャート
【図１７】図３、図４、図５、図６の決済端末機の動作フローチャート
【発明を実施するための形態】
【００１２】
以下、添付された図面を参照して本発明の好ましい実施例を詳細に説明する。本明細書および特許請求の範囲に使用された用語は、通常的または辞書的な意味に限定されて解釈されず、本発明の技術的事項に符合する意味と概念で解釈される。
【００１３】
本明細書に記載された実施例と図面に図示された構成は本発明の好ましい実施例であって、本発明の技術的思想をすべて代弁するものではないので、本出願の時点でこれらを代替できる多様な均等物と変形例が存在し得る。
【００１４】
インターネットポータルは、インターネットに入るために経なければならないという意味の「ドア」という意味であり、誰でも接続できるように提供され、ＵＲＬ（Ｕｎｉｆｏｒｍ  Ｒｅｓｏｕｒｃｅ  Ｌｏｃａｔｏｒ）はウェブ文書の各種サービスを提供するサーバーにあるファイルの位置を意味し、ページはインターネット端末機に情報が表れる画面を意味し、ＮＦＣ（Ｎｅａｒ  Ｆｉｅｌｄ  Ｃｏｍｍｕｎｉｃａｔｉｏｎ）通信はＵＲＬ媒体とスマート機器がＵＲＬを通信する時に使用される。
【００１５】
本発明に係る実施例のブロック図とフローチャートである、図１、図７、図８、図９において、個人区別情報を含みつつ個人専用の個人ポータルサイトに接続できるＵＲＬを保存および提供し、ＵＲＬが割り当てられたユーザーが記憶して使用しながらＵＲＬに対応して設定されたＵＲＬ媒体−認証情報を保有したＵＲＬ媒体１００、１００ａ、１００ｂからＮＦＣ通信でＵＲＬを受信したスマート機器２００が、ＵＲＬを利用してインターネット５００を通じてすぐに個人ポータルサーバー３００と連結してＵＲＬに対応する個人ポータルサイト３００ａに接続して、個人ポータルサイト−接続ページを通信してＵＲＬ媒体のユーザーが入力したＵＲＬ媒体−認証情報を個人ポータルサーバーに伝達し、個人ポータルサーバーはＵＲＬ媒体−認証情報を確認してＵＲＬ媒体単位でログインを受諾した後に個人ポータルサイト−ログインページをスマート機器と通信し、ユーザーは個人ポータルサイト−ログインページで２次サイトに接続したり検索機能や広告などを利用することができる。
【００１６】
また、図１、図７、図８、図９において、前記個人ポータルサイト−ログインページを通信するスマート機器は、ユーザーが個人ポータルサイト−ログインページで選択した２次サイトサーバー４００と連結して２次サイト４００ａを通信し、２次サイト−接続ページを通じてユーザーが入力したユーザー−認証情報を２次サイトサーバーに伝達し、２次サイトサーバーはユーザー−認証情報を確認してユーザーのログインを受諾した後に２次サイト−ログインページを通信し、ユーザーは２次サイトを通じて情報やサービスを利用する。
【００１７】
そして、図１、図７、図８、図９の概念を利用して図３、図５のシステムで決済を支援するインターネットポータルシステムを発明した。
【００１８】
個人ポータルサイトを通じて２次サイトにログインをする過程は、１段階として個人ポータルサーバーに連結する時にＵＲＬ媒体を所有したユーザーのみが接続できるためユーザーの身分が自動で確認され、２段階としてＵＲＬ媒体−認証情報で接続したユーザーを再度確認し、３段階として２次サイトが個人ポータルサイトの情報を利用して個人ポータルサイトを確認し、４段階として２次サイトのユーザー−認証情報でユーザーを確認する構造でなっており、これはオフラインにあるＵＲＬ媒体と個人の記憶とオンラインにある個人ポータルサイトの情報とが組合わせられてログインを安全かつ便利にできる構造を提供するが、１段階ではスマート機器の情報をさらに確認することができ、３段階は省略され得る。
【００１９】
本発明の他の実施例のブロック図とフローチャートである図２、図１０、図１１、図１２において、個人区別情報と２次サイトの別途情報を含むと共に個人専用の個人ポータルサイトに接続できるＵＲＬを保存および提供し、ＵＲＬが割り当てられたユーザーが記憶して使用しながらＵＲＬに対応して設定されたＵＲＬ媒体−認証情報を保有したＵＲＬ媒体１００ａ、１００ｂからＵＲＬを受信したスマート機器２００が、ＵＲＬを利用してインターネット５００を通じてすぐに個人ポータルサーバー３００と連結してＵＲＬに対応する個人ポータルサイト３００ａに接続し、２次サイト別途情報に対応する２次サイト別途情報ウィンドウを含む個人ポータルサイト−接続ページを通信して、ユーザーが入力したＵＲＬ媒体−認証情報と２次サイト別途情報ウィンドウをクリックして選択した２次サイト別途情報を個人ポータルサーバーに伝達し、個人ポータルサーバーはＵＲＬ媒体−認証情報を確認してＵＲＬ媒体のログインを受諾した後にスマート機器に対応するスマート機器情報と２次サイト別途情報に対応する伝達−２次サイト別途情報を生成して２次サイト別途情報に対応する２次サイトサーバー４００に提供し、２次サイトサーバーはスマート機器情報に対応するスマート機器と連結して２次サイト−接続ページを通信してユーザーが入力して伝達されたユーザー−認証情報を確認し、ユーザーのログインを受諾した後に２次サイト−ログインページをスマート機器と通信し、ユーザーは２次サイトを通じて情報やサービスを利用する。
【００２０】
また、図２、図１０、図１１、図１２において、前記の個人ポータルサイト−接続ページでユーザーが２次サイト別途情報を選択せずにＵＲＬ媒体−認証情報のみを伝達すると、ＵＲＬ媒体１００ａ、１００ｂのログインが受諾された後にスマート機器と個人ポータルサーバーが個人ポータルサイト−ログインページを通信し、ユーザーは個人ポータルサイト−ログインページを利用して２次サイトに接続するか個人ポータルサイトの他のサービスを利用する。
【００２１】
現在、ポータルを通じて２次サイトに接続する方法は、ポータルに接続して個人に対して確認することなく２次サイトを検索して接続した後に特定のサービスを探して利用する方法であるが、図２、図１０、図１１、図１２の方法は、２次サイトと関連した情報である２次サイト別途情報を含むＵＲＬを利用して簡単に個人ポータルサイトに接続して、多重で個人を確認しつつ２次サイトに接続してすぐに特定のサービスを利用するものであって、図４と図６のシステムで決済を支援するインターネットポータルシステムを発明した。
【００２２】
本発明の決済を支援する実施例のブロック図とフローチャートである図３、図５、図１３、図１４、図１５、図１６、図１７において、個人区別情報と決済機能と関連した２次サイト別途情報を含むと共に個人専用の個人ポータルサイトに接続できるＵＲＬを保存および提供し、ＵＲＬが割り当てられたユーザーが記憶して使用しながらＵＲＬに対応して設定されたＵＲＬ媒体−認証情報と決済機能とを同じ媒体に保有したＵＲＬ媒体１００ａ乃至個人区別情報と決済媒体９００の決済機能と関連した２次サイト別途情報を含むと共に個人専用の個人ポータルサイトに接続できるＵＲＬを保存および提供し、ＵＲＬが割り当てられたユーザーが記憶して使用しながらＵＲＬに対応して設定されたＵＲＬ媒体−認証情報を保有したＵＲＬ媒体１００ｂからＵＲＬを受信したスマート機器２００が、ＵＲＬを利用してインターネット５００を通じてすぐに個人ポータルサーバー３００と連結してＵＲＬに対応する個人ポータルサイト３００ａに接続して、個人ポータルサイト−接続ページを通信してユーザーが入力したＵＲＬ媒体−認証情報を個人ポータルサーバーに伝達し、個人ポータルサーバーはＵＲＬ媒体−認証情報を確認してＵＲＬ媒体単位でログインを受諾した後に２次サイト別途情報に対応する２次サイトが含まれた個人ポータルサイト−ログインページをスマート機器と通信し、ユーザーは個人ポータルサイト−ログインページを通じて２次サイトサーバー４００と連結して２次サイト４００ａを通信して２次サイト−接続ページでユーザーが入力したユーザー−認証情報を２次サイトサーバーに伝達し、２次サイトサーバーはユーザー−認証情報を確認してユーザーのログインを受諾した後に２次サイト−ログインページを通信して受信した１段階−決済意思情報に対応して生成した２段階−決済意思情報を２次サイト連動サーバー（＝カード会社決済サーバー）に提供し、カード会社決済サーバーは２段階−決済意思情報を受信して保存し、そしてユーザーはＵＲＬ媒体１００ａ乃至決済媒体を利用して決済端末機に決済要請を提供し、決済端末機は受信した決済要請に対応して生成した決済要請情報をカード会社決済サーバーに提供し、カード会社決済サーバーは自分があらかじめ保存しているＵＲＬ媒体１００ａ乃至決済媒体の決済関連情報（有効期間、決済限度、信用状態など）と２段階−決済意思情報と決済要請情報に対応して承認結果情報を生成して決済端末機に提供し、決済端末機は承認結果情報に対応して決済を遂行する。
【００２３】
前記図３、図５、図１３、図１４、図１５、図１６と関連した動作で、ＵＲＬ媒体１００ａや決済媒体９００が決済端末機に決済要請を先に提供した後にＵＲＬ媒体１００ａ、１００ｂがＵＲＬをスマート機器に提供して決済を遂行することができ、またＵＲＬ媒体１００ａ、１００ｂのユーザーは個人ポータルサイト−ログインページを利用して２次サイトに接続せずに検索機能や広告などのような他のサービスを利用することができ、また、ユーザーは２次サイト−ログインページを利用して１段階−決済意思情報を伝達せずに２次サイトの他のサービスを利用するか、１段階−決済意思情報を伝達した後に２次サイトの他のサービスを利用することができる。
【００２４】
本発明の決済を支援する他の実施例のブロック図とフローチャートである図４、図６、図１０、図１１、図１２、図１６、図１７で、個人区別情報と決済機能と関連した２次サイト別途情報を含むと共に個人専用の個人ポータルサイトに接続できるＵＲＬを保存および提供し、ＵＲＬが割り当てられたユーザーが記憶して使用しながらＵＲＬに対応して設定されたＵＲＬ媒体−認証情報と決済機能とを同じ媒体に保有したＵＲＬ媒体１００ａ乃至個人区別情報と決済媒体９００の決済機能と関連した２次サイト別途情報を含むと共に個人専用の個人ポータルサイトに接続できるＵＲＬを保存および提供し、ＵＲＬが割り当てられたユーザーが記憶して使用しながらＵＲＬに対応して設定されたＵＲＬ媒体−認証情報を保有したＵＲＬ媒体１００ｂからＵＲＬを受信したスマート機器２００が、ＵＲＬを利用してインターネット５００を通じてすぐに個人ポータルサーバー３００と連結してＵＲＬに対応する個人ポータルサイト３００ａに接続して２次サイト別途情報に対応する２次サイト別途情報ウィンドウを含む個人ポータルサイト−接続ページを通信して、ユーザーが入力したＵＲＬ媒体−認証情報と２次サイト別途情報ウィンドウをクリックして選択した２次サイト別途情報を個人ポータルサーバーに伝達し、個人ポータルサーバーはＵＲＬ媒体−認証情報を確認してＵＲＬ媒体のログインを受諾した後にスマート機器に対応するスマート機器情報と２次サイト別途情報に対応する伝達−２次サイト別途情報を生成して２次サイト別途情報に対応する２次サイトサーバー４００に提供し、２次サイトサーバーはスマート機器情報に対応するスマート機器と連結して２次サイト−接続ページを通信してユーザーが入力して伝達されたユーザー−認証情報を確認し、ユーザーのログインを受諾した後に２次サイト−ログインページをスマート機器と通信し、伝達−２次サイト別途情報に対応して生成した２段階−２次サイト別途情報を２次サイト連動サーバー（＝カード会社決済サーバー）に提供し、カード会社決済サーバーは２段階−決済意思情報を受信して保存し、そしてユーザーはＵＲＬ媒体１００ａ乃至決済媒体を利用して決済端末機に決済要請を提供し、決済端末機は受信した決済要請に対応して生成した決済要請情報をカード会社決済サーバーに提供し、カード会社決済サーバーは自分があらかじめ保存しているＵＲＬ媒体１００ａ乃至決済媒体の決済関連情報と２段階−決済意思情報と決済要請情報に対応して承認結果情報を生成して決済端末機に提供し、決済端末機は承認結果情報に対応して決済を遂行する。
【００２５】
前記図４、図６、図１０、図１１、図１２、図１６、図１７と関連した動作で、ＵＲＬ媒体１００ａや決済媒体９００が決済端末機に先に決済要請を提供した後にＵＲＬ媒体１００ａ、１００ｂがＵＲＬをスマート機器に提供して決済を遂行することができ、またＵＲＬ媒体１００ａ、１００ｂのユーザーは個人区別情報と別途情報を含むＵＲＬに対応する個人ポータルサイト３００ａを通信して受信した個人ポータルサイト−接続ページでＵＲＬ媒体−認証情報だけを伝達すれば、ＵＲＬ媒体１００ａ、１００ｂのログインが受諾された後に個人ポータルサイト−ログインページを通信して２次サイトに接続せずに個人ポータルサイトの他のサービス（検索機能、広告など）を利用したりＵＲＬが保有した２次サイト別途情報と関係のない２次サイトに接続することができる。
【００２６】
ＵＲＬ媒体１００、１００ａ、１００ｂは、個人専用の個人ポータルサイトに他のインターネット経路を経由せずにすぐに接続できるように、個人別に割り当てられたＵＲＬをＮＦＣチップに保存した媒体である。
【００２７】
ＵＲＬの属性は、１.身分が確認された個人に割り当てられて個人の身分を意味する個人区別情報を保有しながら個人専用の個人ポータルサイトに接続することができ、２.接続段階でＵＲＬ媒体を通じて使用され、３.個人の身分を区分する認証情報のように使用されるがユーザーが記憶せず、４.個人ポータルサーバーを運営する会社が生成し、５.ＵＲＬ媒体に保存されて使用され、６.ＵＲＬが流出してもＵＲＬ媒体で使用しなけれたならないため不正使用が難しく、７.ＵＲＬ媒体で管理されるためＵＲＬの紛失および流出の認知が容易であり、８.流出された時に変更が容易であり、９.個人区別情報と共に別途情報などのような他の情報を含むことができるため多様なサービスを創り出すことができ、１０.個人別に割り当てられるためＵＲＬと個人のスマート機器を連係して個人を区分する方法を適用しやすく、１１.個人が複数のＵＲＬを所有することによって各ＵＲＬに対応する複数の個人ポータルサイトを利用することができる。
【００２８】
ＵＲＬ媒体の種類は、個人の身分を代替する個人区別情報を含みつつ個人ポータルサイトに接続できるＵＲＬを保存したＵＲＬ媒体１００と、同じ媒体に別途機能（決済機能など）を保有しながら別途機能の別途情報（２次サイト別途情報など）と個人区別情報を含みつつ個人ポータルサイトに接続できるＵＲＬを保存したＵＲＬ媒体（１００ａ、図２、図３、図４参照）と、別個の媒体である別途媒体（決済媒体など）と連携された別途情報と個人区別情報を含みつつ個人ポータルサイトに接続できるＵＲＬを保存したＵＲＬ媒体（１００ｂ、図２、図５、図６参照）がある。
【００２９】
個人区別情報はＵＲＬを構成する情報であって、個人の身分に代替し、ＵＲＬ媒体の種類に関わらず含まれる。
【００３０】
別途機能とはＵＲＬと連携されるものの、個人ポータルサーバーで作動する機能ではない機能を意味し、別途媒体とは別途機能を保有した媒体を意味し、別途情報とは別途媒体と関連してＵＲＬに含まれる情報を意味するが、本明細書では２次サイト別途情報がこれに該当し、２次サイト別途情報は個人ポータルサイトを通じて別途媒体を支援する２次サイトに接続できる情報のことを言い、２次サイト別途情報ウィンドウは２次サイト別途情報の使用を選択できる個人ポータルサイト−接続ページに含まれたウィンドウである。
【００３１】
ＵＲＬ媒体のユーザーは身分が確認されて割り当てられたＵＲＬを保存したＵＲＬ媒体が発行された人であって、一般に２次サイトのユーザーと一致する。
【００３２】
ＵＲＬ媒体−認証情報は個人ポータルサイトにログインする時に使用する認証情報であって、ＵＲＬ媒体のユーザーがＵＲＬに対応して設定し記憶して使用し、個人ポータルサーバーはＵＲＬ媒体−認証情報を確認してＵＲＬ媒体単位（＝ＵＲＬ単位）でログインを受諾する。
【００３３】
個人ポータルサイトに接続する方法は、個人ポータルサーバーが他のインターネットサイトを経由することは拒否し、ＵＲＬ媒体を使用してすぐに連結する時にのみ許諾する。
【００３４】
個人ポータルサイトに接続する時にスマート機器の情報をさらに使用する方法は、現在接続しているスマート機器の情報と以前に接続したスマート機器の情報とを比較し、同じであれば接続を受諾し、異なる場合は拒否する。
【００３５】
スマート機器を変更した場合には、個人ポータルサーバーに新しくスマート機器を登録する。
【００３６】
ＵＲＬ媒体単位でログインする方法は、個人ポータルサーバーが１段階として接続段階でＵＲＬ媒体を使用した時にのみ個人ポータルサイトに接続させ、２段階としてログイン段階でＵＲＬ別に設定されたＵＲＬ媒体−認証情報を確認してログインを受諾するものであって、このような方法はＵＲＬ媒体とＵＲＬ媒体−認証情報を使用するため不正な攻撃を構造的に防御できる基盤を提供する。
【００３７】
個人区別情報と２次サイト別途情報を含むＵＲＬを使用する方法は、個人区別情報と２次サイト別途情報を含むＵＲＬを受信した個人ポータルサーバーが個人を区別した後に、２次サイト別途情報ウィンドウを含まない個人ポータルサイト−接続ページを通じて受信したＵＲＬ媒体−認証情報を確認した後、２次サイト別途情報に対応する２次サイトを含む個人ポータルサイト−ログインページをスマート機器と通信して使用する方法（図３、図５参照）であるが、２次サイト別途情報ウィンドウが含まれた個人ポータルサイト−接続ページを通じてＵＲＬ媒体−認証情報と２次サイト別途情報を受信してＵＲＬ媒体−認証情報を確認した後に、２次サイト別途情報に対応する伝達−２次サイト別途情報を生成して２次サイト別途情報に対応する２次サイトに提供する（図２、図４、図６参照）。
【００３８】
２次サイト別途情報ウィンドウが含まれた個人ポータルサイト−接続ページでＵＲＬ媒体−認証情報だけを入力して伝達すると、ＵＲＬ媒体−認証情報を確認した後にスマート機器と個人ポータルサイト−ログインページを通信する。
【００３９】
スマート機器２００は、ＮＦＣ通信をする機能と画面等を通してユーザーと情報をやり取りする機能とインターネットを利用できる機能を含んでいる電子機器であって、個人ポータルサーバーや２次サイトサーバーと通信する。
【００４０】
スマート機器情報はスマート機器の情報であって、スマート機器のＩＰや、ＯＳシリアル番号や、ＭＡＣアドレスや、機器識別情報（ＩＭＥＩ、Ｉｎｔｅｒｎａｔｉｏｎａｌ  Ｍｏｂｉｌｅ  Ｅｑｕｉｐｍｅｎｔ  Ｉｄｅｎｔｉｔｙ）等が該当し、スマート機器が個人ポータルサーバーに接続する時に提供したり、個人ポータルサーバーが２次サイトサーバーをスマート機器に連結する時に提供する。
【００４１】
個人ポータルサーバー３００は、ＵＲＬ媒体の各ＵＲＬに対応する個人ポータルサイト３００ａを管理するポータル機能をするウェブサーバーである。
【００４２】
図１の個人ポータルサーバーは、個人区別情報が含まれたＵＲＬを受信してスマト機器とＵＲＬ媒体−認証情報を入力するウィンドウが含まれた個人ポータルサイト−接続ページを通信し、受信したＵＲＬ媒体−認証情報を確認してＵＲＬ媒体単位でログインを受諾した後に２次サイト目録乃至検索機能乃至広告などが含まれた個人ポータルサイト−ログインページを通信する。
【００４３】
図３、図５の個人ポータルサーバーは、個人区別情報と２次サイト別途情報を含むＵＲＬを受信してスマート機器とＵＲＬ媒体−認証情報を入力するウィンドウと２次サイト別途情報ウィンドウが含まれた個人ポータルサイト−接続ページを通信してＵＲＬ媒体−認証情報と２次サイト別途情報を受信し、先にＵＲＬ媒体−認証情報を確認してＵＲＬ媒体単位でログインを受諾した後、２次サイト別途情報に対応する２次サイトの情報が含まれた個人ポータルサイト−ログインページを通信するが、万一、２次サイトに接続せずに個人ポータルサイトで他のサービスを利用しようとする時には、ＵＲＬ媒体−認証情報のみを伝達する。
【００４４】
図２、図４、図６の個人ポータルサーバーは、個人区別情報と２次サイト別途情報を含むＵＲＬを受信してスマート機器とＵＲＬ媒体−認証情報を入力するウィンドウと２次サイト別途情報ウィンドウが含まれた個人ポータルサイト−接続ページを通信してＵＲＬ媒体−認証情報と２次サイト別途情報を受信し、先にＵＲＬ媒体−認証情報を確認してＵＲＬ媒体単位でログインを受諾した後、２次サイト別途情報に対応して生成した伝達−２次サイト別途情報とスマート機器に対応して生成したスマート機器情報を２次サイト別途情報に対応する２次サイトサーバーに提供するが、万一、２次サイトに接続せずに個人ポータルサイトで他のサービスを利用しようとする時にはＵＲＬ媒体−認証情報のみを伝達する。
【００４５】
図２、図４、図６の方法は、できるだけ簡単な動作で２次サイトのサービスを利用することができるため、モバイル時代に非常に有用である。
【００４６】
前記のような個人ポータルサイトと２次サイトが連携されたサービスは、個人ポータルサーバーの運営会社と２次サイト運営会社が事前に協議してユーザーに提供できるが、このような応用例としてカード会社サイトを利用して決済を支援するインターネットポータルシステムと使用方法を図３、図４、図５、図６に記載した。
【００４７】
伝達−２次サイト別途情報は、個人ポータルサーバーが受信した２次サイト別途情報に対応して生成して２次サイトサーバーに提供する情報である。
【００４８】
個人ポータルサーバーが保存する情報は、個人ポータルサイトの提供に必要な最小限の身上情報の他には、個人の生活情報（カード生活情報、保険生活情報、預金生活情報など）は保存せず、個人の生活情報が保存されている個人生活サイト（カード会社サイト、保険会社サイト、銀行サイトなど）に接続できる情報を提供する。
【００４９】
生活情報とは個人が生活しながら生成されてインターネット上に存在する情報を意味し、個人生活サイトとは個人の生活情報をインターネットに提供するサイトであって、カード会社サイト、保険会社サイト、銀行サイトなどを意味する。
【００５０】
個人ポータルサイト３００ａは、個人ポータルサーバーの管理を受け、ＵＲＬ媒体のユーザー専用として使用され、ＵＲＬの接続経路乃至スマート機器の情報を確認して個人ポータルサーバーが接続を受諾し、ＵＲＬに対応して設定されたＵＲＬ媒体−認証情報が確認される時にＵＲＬ媒体単位でログインされるサイトであり、個人ポータルサイト−接続ページと個人ポータルサイト−ログインページに区分され、個人は割り当てられたＵＲＬの数だけ個人ポータルサイトを利用することができ、個人ポータルサイトはインターネットに個人の身分を有するサイトが常に存在するようにし、また、２次サイトと連動して多様なサービス（例、生活情報の利用など）を提供することができる。
【００５１】
個人ポータルサイトは、２次サイトの目録や２次サイトを検索する検索機能や広告などを含むことができる。
【００５２】
２次サイトの目録は、ＵＲＬ媒体のユーザーに重要であるかまたはＵＲＬ媒体のユーザーが興味を持つ２次サイトの目録を個人ポータルサイトが体系的に提供するものであって、個人ポータルサーバーの運営会社乃至個人が作成することができ、インターネットが連結されると、どこででも使用することができる。
【００５３】
個人ポータルサイト−接続ページは、個人ポータルサーバーがＵＲＬ媒体の接続を受諾することによって、ＵＲＬ媒体−認証情報の確認によりＵＲＬ媒体単位でログインされる前までスマート機器と通信するページを意味し、ＵＲＬ媒体−認証情報を入力するウインドウ乃至２次サイト別途情報ウインドウ乃至ログインせずとも利用できる内容を含み、またＵＲＬ媒体−認証情報が一致しないため再送信する時は個人不一致−メッセージを含む。
【００５４】
個人ポータルサイト−ログインページは、個人ポータルサーバーがＵＲＬ媒体−認証情報を確認した後にスマート機器と通信するページであって、ログインされたことを示す内容乃至２次サイト目録乃至ログインをした後に利用できる内容を含む。
【００５５】
個人ポータルサイト−接続ページや個人ポータルサイト−ログインページは、検索機能や広告などを含むことができる。
【００５６】
個人不一致−メッセージは、ＵＲＬ媒体−認証情報が一致しないため個人ポータルサイト−接続ページを再転送する時に認証情報が不一致であることを知らせるメッセージであって、メッセージは何の内容も示さずに個人ポータルサイト−接続ページを再転送することもできる。
【００５７】
２次サイトサーバー４００は、２次サイトを管理するウェブサーバーである。
【００５８】
図１の２次サイトサーバーは、スマート機器の接続要請を受信し、２次サイト−接続ページを通信して受信したユーザー−認証情報を確認してユーザーのログインを受諾することによって２次サイト−ログインページを通信する。
【００５９】
図３、図５の２次サイトは、スマート機器の接続要請を受信し、２次サイト−接続ページを通信して受信したユーザー−認証情報を確認してユーザーのログインを受諾することによって２次サイト−ログインページを通信し、そして１段階−決済意思情報を受信して１段階−決済意思情報に対応して生成された２段階−決済意思情報（２段階−２次サイト別途情報）を２次サイト連動サーバー（＝カード会社決済サーバー）に提供する。
【００６０】
図２の２次サイトサーバーは、個人ポータルサーバーから受信したスマート機器情報に対応するスマート機器と連結して、２次サイト−接続ページを通信して受信したユーザー−認証情報を確認した後、２次サイト−ログインページを通信し、そして受信した伝達−２次サイト別途情報に対応する。
【００６１】
図４、図６の２次サイトサーバーは、個人ポータルサーバーから受信したスマート機器情報に対応するスマート機器と連結して、２次サイト−接続ページを通信して受信したユーザー−認証情報を確認した後、２次サイト−ログインページを通信し、そして受信した伝達−２次サイト別途情報に対応して生成した２段階−２次サイト別途情報を生成して２次サイト連動サーバー（＝カード会社決済サーバー）に提供する。
【００６２】
２段階−２次サイト別途情報は、２次サイトサーバーが１段階−２次サイト別途情報に対応して生成して２次サイト連動サーバーに提供する情報である。
【００６３】
２次サイトは個人ポータルサイト以外のすべてのサイトであって、個人生活サイト（例、カード会社サイトなど）やログインしないと主要情報を利用できないログ必要サイト（例、ショッピングサイトなど）やログインせずとも主要情報を利用できる一般サイト（例、広報サイトなど）等がある。
【００６４】
２次サイト−接続ページは、２次サイトサーバーがユーザーログインとなる前までスマート機器と通信するページであり、ユーザー−認証情報が一致しないため再転送する場合には２次不一致−メッセージを含むことができる。
【００６５】
２次不一致−メッセージは、ユーザー−認証情報が一致しないため２次サイト−接続ページを再転送する時に認証情報が不一致であったことを知らせるメッセージであり、メッセージは何の内容も示さずに２次サイト−接続ページを再転送することもできる。
【００６６】
ユーザー−認証情報は、ユーザーが２次サイトにログインするためにユーザー単位で設定されて使用される認証情報である。
【００６７】
２次サイト−ログインページは、ユーザー−認証情報が確認された後にスマート機器に提供される２次サイトのページであり、スマート機器が１段階−決済意思情報を２次サイトサーバーに伝達できるウィンドウを含むことができる。
【００６８】
１段階−決済意思情報は、ＵＲＬ媒体のユーザーが２次サイトサーバーに決済機能がある媒体（ＵＲＬ媒体：１００ａ、決済媒体）を利用して決済することを知らせる情報である。
【００６９】
２次サイトと個人ポータルサイトは連動して決済を支援したり、個人の情報を容易に利用できるようにしたり、個人の生活情報が変更されたことを個人サイトに自動で知らせたり、個人に特化したサービスを提供するなどの、多様かつ特定されたサービスを提供することができる。
【００７０】
２次サイト連動サーバー（＝カード会社決済サーバー、６００）は、２次サイトサーバーと内部線路で通信するサーバーであり、図３、図４、図５、図６におけるカード会社決済サーバーである。
【００７１】
カード会社決済サーバーは、内部にあらかじめ保存している決済関連情報と２次サイトサーバーで受信した２段階−２次サイト別途情報（＝２段階−決済意思情報）と決済端末機から受信した決済要請情報に対応して、承認結果情報を生成して決済端末機に提供する。
【００７２】
決済関連情報は、決済機能を保有したＵＲＬ媒体１００ａ乃至決済媒体９００と関連した情報（有効期間、決済限度など）であり、カード会社決済サーバーが内部にあらかじめ保存している。
【００７３】
承認結果情報は、ＵＲＬ媒体１００ａ乃至決済媒体の決済要請に対応してカード会社決済サーバーが決済承認の可否を決定した情報である。
【００７４】
決済端末機７００はＰＯＳ端末機のようなものであって、決済機能があるＵＲＬ媒体１００ａまたは決済媒体の決済要請を受信して生成した決済要請情報を決済ネットワーク８００を通じて２次サイト連動サーバーに提供し、２次サイト連動サーバーから受信した承認結果情報に対応して決済を遂行する。
【００７５】
決済要請情報は、決済端末機がＵＲＬ媒体１００ａや決済媒体から受信した決済要請に対応して生成して２次サイト連動サーバーに提供する情報である。
【００７６】
決済媒体９００は、決済機能を保有したクレジットカード、チェックカードなどやモバイルカードを意味し、決済端末機に決済要請を提供する。
【００７７】
決済要請は、ＵＲＬ媒体１００ａや決済媒体が保有した情報を決済端末機に提供して決済を要請することを意味する。  
【図１】
2019510326.tif 000003
【図２】
2019510326.tif 000004
【図３】
2019510326.tif 000005
【図４】
2019510326.tif 000006
【図５】
2019510326.tif 000007
【図６】
2019510326.tif 000008
【図７】
2019510326.tif 000009
【図８】
2019510326.tif 000010
【図９】
2019510326.tif 000011
【図１０】
2019510326.tif 000012
【図１１】
2019510326.tif 000013
【図１２】
2019510326.tif 000014
【図１３】
2019510326.tif 000015
【図１４】
2019510326.tif 000016
【図１５】
2019510326.tif 000017
【図１６】
2019510326.tif 000018
【図１７】
2019510326.tif 000019
【国際調査報告】
2019510326.tif 000020
2019510326.tif 000021
2019510326.tif 000022
2019510326.tif 000023